(57)【要約】信号の符号空間を探索する方法であって、該方法は、符号空間を、第１及び第２ウィンドウに分割する段階と、第１相関器を用いて、第１ウィンドウ内の符号空間のみを探索する段階と、第２相関器を用いて、第２ウィンドウ内の符号空間のみを探索する段階とを備え、各ウィンドウは、符号空間の幅よりも狭い幅を持っていることを特徴とする方法。
2004512727.tif 000002
【特許請求の範囲】
【請求項１】
信号の符号空間を探索する方法であって、該方法は、
符号空間を、第１及び第２ウィンドウに分割する段階と、
第１相関器を用いて、第１ウィンドウ内の符号空間のみを探索する段階と、
第２相関器を用いて、第２ウィンドウ内の符号空間のみを探索する段階と
を備え、
前記各ウィンドウは、符号空間の幅よりも狭い幅を持っていることを特徴とする方法。
【請求項２】
前記ウィンドウが連続しており、重なっていないことを特徴とする請求項１記載の方法。
【請求項３】
Ｎ個の相関器を用いて第１ウィンドウ内の符号空間のみを探索する段階を備え、ここで、Ｎは２以上の整数であることを特徴とする請求項１あるいは２のいずれか一つに記載の方法。
【請求項４】
第１ウィンドウをＭ個のステップに分割し、相関器を隣接するステップに置き、続いて、各相関器をウィンドウに沿ってＮステップ移動させる段階を備え、ＭはＮより大きい整数であることを特徴とする請求項３記載の方法。
【請求項５】
Ｎ個の相関器は、第１ウィンドウに沿って、実質的に同時に移動させられることを特徴とする請求項４記載の方法。
【請求項６】
受信した多くの信号のいずれが最も平均信号強度が強いかを検出し、符号空間内の位置をウィンドウに割り当てる段階を、さらに備え、前記位置は、そのように検出した信号の位置に関連していることを特徴とする請求項１から５のいずれか一つに記載の方法。
【請求項７】
最も強い信号を追跡する段階と、ウィンドウの位置が閾値を越える量によって最後に割り当てられた時に、最も強い信号がその位置から移動したのは、いつであるかを検出する段階と、正方向の検出に応じて、最も強い信号の新しい位置に関連した符号空間内にウィンドウの位置を再割り当てする段階とをさらに備え、前記閾値は、符号の５チップ期間を越えることを特徴とする請求項６記載の方法。
【請求項８】
前記閾値は、符号の１０チップ期間と１３チップ期間の間であることを特徴とする請求項７記載の方法。
【請求項９】
符号空間内の位置に関して、その位置が一つあるいは二つ以上の探索相関器によって静止しているような複数の場合において、信号強度測定値を非干渉的に蓄積する段階を、さらに備えることを特徴とする請求項１から８のいずれか一つに記載の方法。
【請求項１０】
非干渉的に蓄積された信号強度測定値の数を調整する段階を、さらに備えることを特徴とする請求項９記載の方法。
【請求項１１】
信号が受信されたチャネルの変動の測定値を推定し、推定された変動を基にして非干渉的に蓄積された信号強度測定値の数を調整する段階を、さらに備えることを特徴とする請求項１０記載の方法。
【請求項１２】
受信した信号のＳＩＲを推定し、推定したＳＩＲを基にして符号空間内の位置における相関器の静止時間を調整する段階を、さらに備えることを特徴とする請求項１から１１のいずれか一つに記載の方法。
【発明の詳細な説明】
【０００１】
【発明の属する技術分野】
本発明は、符号空間（ｃｏｄｅ ｓｐａｃｅ）を探索する方法に関する。
【０００２】
【従来の技術】
広帯域符号分割多元接続（Ｗ−ＣＤＭＡ）の無線受信器において、受信した信号を処理するのにレーク（ｒａｋｅ）受信器を用いるのが普通である。レーク受信器は、多くの相関器、通常は４つの相関器を備え、それらは、加算器に加えられる出力と並列に配置される。加算器の出力は、レーク受信器への出力信号である。各相関器は、‘フィンガー（指）’と呼ばれることがあり、各フィンガーは、独立して制御できる。照準（ＬＯＳ：ｌｉｎｅ−ｏｆ−ｓｉｇｈｔ）信号との相関関係を作るために、受信した信号へ変調される符号と同じ周波数と位相とにおいて、擬似ランダム雑音（ＰＮ）を生成する必要があるので、遅延した符号と受信した信号とを混合することによって、遅延したマルチパス信号を分離することが可能である。符号遅延は、発生する相関関係に対するＬＯＳ信号とマルチパス信号の間の時間遅延に等しくなくてはいけない。実際に、受信器の制限と雑音の効果によって、図１に示すような特性が得られる。
【０００３】
図１において、短時間に受信された信号の符号遅延に対する振幅が曲線で描かれている。ＬＯＳ信号１０は、最も大きな振幅であるから、最も強いと明らかに見て取れる。マルチパス信号１１，１２，１３も、それぞれが他から独立した振幅を持った符号遅延の軸あるいは符号空間に沿った様々な位置で見て取れる。この図からは見て分からないが、信号の各要素は、自身のキャリア位相を持っている。レーク受信器の各フィンガーは、受信した信号の一要素あるいは放射線（ｒａｙ）１０〜１３に従うように制御される。通常は、一つのフィンガーは、ＬＯＳ放射線１０１０に従い、他のフィンガーは、各々がマルチパス放射線１１〜１３に従う。しかし、ＬＯＳ放射線１０は、しばしば充分な強さがなく、その場合、各フィンガーは別のマルチパス放射線に従う。一つのフィンガーには一つの混合器と一つの遅延素子が含まれ、それらは、相関信号が提供されるやり方で動作する。相関信号のキャリア位相は、任意の値へと変化させられ、これは、各フィンガーに対して同じ値であり、各信号の振幅は、従来のアルゴリズムによって調整される。全てのフィンガーからの信号は、その後に、加算器によって加算され、それによって受信した信号から効率的な信号受信ができる。実際に、レーク受信器は、関係する放射線の符号空間を‘レーク’し、それらを時間とキャリア空間で互いにまとめて、それからそれらの和を取る。レーク受信器は、ＬＯＳ放射線あるいはマルチパス放射線上でのみ動作する受信器と比較して、信号対雑音比（ＳＮＲ）が著しく増加する。
【０００４】
受信器というのは、セルラ基地局のような送信器と比べて移動をするが、その図１に示されている特性が色々に変化する。最も顕著なものは、破壊的な重なりによって放射線の電力が大幅に上がったり下がったりし、同時に、電力の速度と周波数が、特に伝搬チャネルの動的変化によって変化する。マルチパス放射線１１〜１３も、信号の経路の長さの差がＬＯＳの経路に関連して変化するのにつれて、何らかの方法で、符号空間によって移動する。信号のキャリア位相も、よりゆっくりとではあるが時間的に変化する。
【０００５】
各基地局のユニバーサル移動電話システム（ＵＭＴＳ）に対して、ＣＰＩＣＨチャネルと呼ばれ、基地局で信号の上に変調されるそれ自身のチャネル特有のＯＶＳＦ符号を持つ専用パイロットチャネル上に、連続的なパイロット信号（全ての論理“１”のデータストリーム）を送信することが、現在提案されている。これによって、無線電話のハードウェアが、ＣＰＩＣＨチャネルで受信される信号を連続的に追跡し、その測定を行い、その測定からチャネルの状態をそして信号がチャネル上を如何に伝搬しているかを推測することができる。データチャネルは、パイロットチャネルと同じ帯域幅を占有するので、データチャネルの特性は、データチャネルで受信される信号を測定しなくても決定することができる。データチャネルの送信器の電力に関して、データチャネルを受信する受信器（基地局あるいは無線電話）によって制御することが提案されている。しかし、ＣＰＩＣＨチャネルは、全ての無線電話によって受信されるであろうから、それは、一定の電力レベルで送信されるであろう。
【０００６】
勿論、放射線１０〜１３を追跡するのに先立って、最初にそれらを見付けることが必要である。このことは、探索相関器（図示せず）を用いて実行され、これは、受信した信号を処理し、それからデータを復調するのに使用するフィンガーとは物理的に別個のものである。探索相関器は、混合器（図示せず）と、係数自乗演算器（ｍｏｄｕｌｕｓ ａｑｕａｒｅ ｏｐｅｒａｔｏｒ ｄｅｖｉｃｅ）（図示せず）のような電力推定器とを備えている。混合器は、受信した信号を、正確に制御可能な位相を持った局所的に生成された符号と、受信した信号上に送信器において変調された符号に周波数が整合した符号とを混合する。
【０００７】
典型的には、関連した信号の電力は、符号の５１２のチップ期間に対応した時間の間、推定されるが、この時間は、探索相関器が、特定の符号位相に静止している時間であり、静止時間として知られるものである。もし、推定した電力が閾値を越えると、放射線が符号空間のその位置にあり、あるフィンガーがその放射線を追跡するために割り当てられたと推測される。
【０００８】
【発明が解決しようとする課題】
本発明の目的は、信号のための符号空間を探索するための改良された方法を提供することである。
【０００９】
【課題を解決するための手段】
本発明によって、信号の符号空間を探索する方法が提供され、該方法は、第１及び第２のウィンドウへと符号空間を分割する段階と、第１相関器によって第１ウィンドウ内の符号空間のみを探索する段階と、第２相関器によって第２ウィンドウ内の符号空間のみを探索する段階とを備え、各ウィンドウは、符号空間の幅よりも狭い幅を持っていることを特徴とする。
【００１０】
本発明によって、新しい放射線が存在する確率が相対的に高いような符号空間の部分が、符号空間の他の部分よりもたくさんの探索用資源を割り当てられるようなやり方で、例えば相関器のような探索資源をウィンドウに割り当てることが可能となる。ウィンドウの大きさと、符号空間におけるその部分は、探索が符号空間中を均一の優先度で行われるような状況に比べて、新しい放射線を取得する速度を速める手段として、設計段階でもしくは動的に選択することができる。優先順位付けは、符号空間を、等しくない大きさのウィンドウに分割すること、および／または異なる数の相関器を異なるウィンドウに割り当てることによって行うことができる。
【００１１】
【発明の実施の形態】
本発明の実施形態を、例示のためだけに添付の図面によって、次に説明する。
【００１２】
図面を参照すると、図２には、本発明を実現するレーク受信器２０の一部が示されている。レーク受信器２０は、一般的には、信号入力２１と制御器２２と信号検出器２３を備えている。信号入力２１は、第１から第４混合器２４〜２７の各々の第１入力に並列に接続される。混合器２４〜２７の第２入力は、符号生成器２９が局所的に生成した擬似ランダム符号が与えられる符号供給器（ｃｏｄｅ ｓｕｐｐｌｉｅｒ）２８のそれぞれの出力に接続される。混合器２４〜２７と符号供給器２８と符号生成器２９が、図式的に示される。その結果、（信号入力２１で与えられる）入力信号の混合から得られ、同じ局所的に生成された符号がその上に変調されるところの符号を持った４つの異なる信号（混合器２４〜２７の出力において）が与えられ、局所的に生成された符号と受信した信号の任意の或る部分との間の位相差が、４つの信号の各々で異なることになる。信号入力２１で受信される信号は、ＵＭＴＳシステムのＣＰＩＣＨチャネルの上で受信される信号である。混合器２４〜２７の各々に供給される符号の位相は、制御器２２の制御の下で、符号供給器２８によって変更される。混合器２４〜２７へ与えられる符号信号の位相を制御するために、符号供給器２８へ与えられる制御信号は、信号検出器２３へも与えられて、信号検出器が、他の入力信号に関連する符号位相を知ることができるようになる。混合器２４〜２７の出力は、係数自乗演算器３０〜３３のそれぞれを経由して、信号検出器２３のそれぞれの入力に接続され、その各々は、それぞれの入力において受信された信号の電力の信号の出力代表値を与える。係数自乗演算器３０〜３３は、入力で受信した信号の電力をハードウェアまたはソフトウェアで推定する何れかの機器で置き換えることもできる。
【００１３】
混合器２４〜２７の各々は、関連する係数自乗演算器３０〜３３とともに、それぞれの探索相関器を備える。わずか４つの探索相関器が示されているが、８つの相関器が、本発明の実施形態に出てくる。わずか４つの相関器が示されているのは、本発明はわずか４つを利用した例から理解されるからである。代わりに、４つあるいは６つあるいは他のいずれかの数の相関器があって良い。
【００１４】
制御器２２は、符号供給器２３を制御して、符号の５１２チップ期間あるいは５１２チップに等しい時間の間、符号の選択した位相に留まる。係数自乗演算器の３０〜３３の各々は、それぞれの入力で与えられる信号の信号電力を測定し、電力信号を信号検出器２３に与える。５１２チップが過ぎた後、制御器２２は、符号供給器２８を制御して、混合器２４〜２７へ与えられる符号の位相を変更し、その後、係数自乗演算器３０〜３３は、新しい符号位相において、信号電力の測定を行う。信号検出器２３は、係数自乗演算器３０〜３３の各々から受信した信号電力を取って、それを、その上にレーク受信器２０のフィンガーがロックされる信号の強度に従って動的に調整されることが好ましい閾値と比較して、そこから、符号のどの位相が、符号のその位相において受信する価値のある放射線かを示す信号を与えるのかを決定する。
【００１５】
信号検出器２３は、受信したどの放射線が、最も高い長時間平均電力を持っているかを決定し、この放射線の位置（すなわち符号位相）を制御器２２に与える。制御器２２は、この最強の放射線の位置に従って探索される符号空間を正規化する。本実施形態において、符号空間は、１２８チップの幅があるが、他の幅を用いることもできる。ここで提案したＵＭＴＳシステムで、１２８チップは、３３．３μｓに相当する。図３を参照すると、制御器２２は、符号空間を第１ウィンドウ、第２ウィンドウ、第３ウィンドウに分割し、ウィンドウ１，ウィンドウ２，ウィンドウ３と呼ぶ。ウィンドウ１は、実際、３２チップの幅であり、最強の放射線の位置に関係がある−３２チップから始まり、最強の放射線の位置に関係がある−０．５チップで終了する。最強の放射線の位置は、“定位（ｎｏｒｍａｌ）”と呼ばれる。ウィンドウ２は定位から始まり、３９．５チップまで延びる。ウィンドウ３は、４０チップで始まり、９５．５チップまで延びる。ウィンドウは、８チップの幅の倍数で選ばれるが、これは、どんな幅のウィンドウを用いることもできるが、本発明を実現するのに要する論理回路を簡略化するからである。制御器２２は、ウィンドウ１に２つの探索相関器を割り当て、ウィンドウ２に４つの探索相関器を割り当て、ウィンドウ３に２つの探索相関器を割り当てる。探索相関器をこの様に割り当てることは、定位に関連し、符号空間の該当部分に現れる新しい放射線の確率の推定値に基づいている。
【００１６】
一旦、ウィンドウ１から３が定位に関連した位置に置かれると、ウィンドウの位置は、最強の放射線の位置が符号空間に沿って何らかの方法で移動したとしても、普通は変更されない。しかし、制御器２２は、閾値を越えたのがいつかを検出することで、最強の放射線の位置が定位から所定の距離以内でなくなるのはいつかを検出し、以前に最強の放射線が閾値を越えた位置である新しい定位の周囲にウィンドウを再配置するように整えられている。ウィンドウ１から３を再配置することは、単純な処理ではないので、再配置の処理は、妥当だと思われる時以外は行わない。このために、所定の閾値は２０チップに設定される。しかし、符号空間の幅および、符号空間の始まり（ウィンドウ１の始まり）と定位との差に基づいて、閾値は、典型的には、１０チップから３０チップの間であろう。閾値は、殆どの環境では、５チップあるいはそれ以上であろう。
【００１７】
図４は、どのようにウィンドウ２の符号空間が、そこに割り当てられた４つの探索相関器によって探索されるかを示している。最初に、４つの探索相関器は、制御器２２によって、それぞれ０．５チップ、１．０チップ、１．５チップを占めるように制御される。静止時間（ｄｗｅｌｌ ｔｉｍｅ）である５１２チップの間、その位置に留まった後に、各探索相関器は、４ステップあるいは２チップ、符号空間に沿って移動する。探索相関器の各々は、その新しい位置に５１２チップの間、留まり、その後に再びさらに符号空間に沿って２チップ移動する。探索相関器が符号空間の或る位置に留まる間、その位置の信号電力は、係数自乗演算器３０〜３３のそれぞれ一つによって計算され、信号検出器２３は、そのようにして検出された信号電力に従って動作する。勿論、Ｎ個の相関器が一つのウィンドウに割り当てられると、相関器は、隣接するステップで始め、静止時間が過ぎた後に符号空間に沿ってそれぞれがＮステップだけ移動する。本実施形態においてだけであるが、ステップはチップの半分に等しく、どんなステップの大きさも選ぶことができる。ウィンドウ内で各ステップを探索するのに要する時間は、ウィンドウに割り当てられた相関器の数で除算した静止時間によって乗算したウィンドウ内のステップ数に等しいことが理解されよう。探索相関器がウィンドウの最後に着くと、制御器２２は、探索相関器をウィンドウの最初に戻し、ウィンドウの探索が繰り返される。
【００１８】
図３を再び参照すると、ウィンドウ１から３の探索は、右に少し下を向いて示される矢印によって図示される。これらの矢印は、探索されるウィンドウの規則性を示し、縦軸は時間を表し、下に進む。
【００１９】
ウィンドウ１から３の相対的な大きさにより、また、それらのウィンドウに割り当てられた相関器の数により、ウィンドウ２は、ウィンドウ１よりも頻繁に探索され、ウィンドウ１は、ウィンドウ３よりも頻繁に探索されることが分かるだろう。
【００２０】
好ましい実例において、信号検出器／アキュムレータ２３は、メモリ（図示せず）とプロセッサ（図示せず）を備えている。プロセッサは、係数自乗演算器３０〜３３によって与えられた信号電力の推定値をメモリ内に保存するように準備されている。プロセッサは、また、ウィンドウをＰ回掃引することでＰの静止時間に渡って符号空間の或る位置から得られた信号電力の推定値の合計をするように準備されている。Ｐの値は、送信器（図示せず）と受信器２０の間のチャネルの変動（ｄｙｎａｍｉｃｓ）によって、チャネル変動推定器（図示せず）により推定されたように、調整可能である。当業者ならば、チャネル変動推定器の作り方は、分かるであろう。信号電力制定器の和は、Ｐによって除算されて、移動平均を作る。このようにして、平均化することにより、信号を非干渉的（ｎｏｎ−ｃｏｈｅｒｅｎｔ）に蓄積していく。
【００２１】
チャネルの変動が少ないと推定されると（すなわちチャネルが、ゆっくりと変わっているだけであると検出されると）、Ｐの値はハイに選択される。ハイのチャネル変動が推定されると、Ｐのハイの値が推定される。例えば、受信器２０が都会の環境を高速に移動していると、１０個の値をＰに対して選択することができ、時間依存のマルチパス信号を起こすような大きさの移動物体が無い環境において、静止した受信器に対してＰ＝１となる。非干渉性の蓄積を、このように動的に調整することの最大の利点は、変動が多い状況において、強い放射線をより拾い上げ易くなることであるが、変動が少ない状況において、さらに速い応答時間が可能である。
【００２２】
他の実施形態において、静止時間は、受信した信号のＳＮＲあるいは信号対混信比（ＳＩＲ）によって調整可能である。この実施形態において、制御器２２は、受信した信号のＳＩＲをを推定し（ＳＩＲの推定は、既知の技術である）、符号供給器２８を制御して静止時間を状況に適したものにする。高いＳＩＲが検出されると、電力の正確な測定が比較的短時間で行えると考えることができるので、静止時間が非常に長くある必要が無い。ＳＩＲが特に高い場合、例えば、受信した信号の帯域幅で処理をしているユーザーが殆どいない時に、静止時間はわずか２５６チップに対応する。他方、ＳＩＲが相対的に低い時に、例えば、受信器の帯域幅で処理をしているユーザーがたくさんいる時に、制御器２２は、符号供給器２８を制御して、符号空間内の各位置に１０２８チップだけ静止する。この後者の場合、より正確な電力の推定を達成することが可能であるが、これは、ＳＩＲが高い環境では必要ではない。
【００２３】
このようにして静止時間を動的に調整することは、蓄積は静止時間を通して非干渉的であるので、複数の静止の場合の蓄積とは区別することができるが、信号電力の推定値は、複数の静止の場合を通して蓄積されるときに非干渉的である。
【図面の簡単な説明】
【図１】図１は、典型的なマルチパス環境において受信された信号に対する、振幅と符号遅延を描いた図である。
【図２】本発明を実現するレーク受信器の一部を示す図である。
【図３】３つのウィンドウに分割された符号空間の図である。
【図４】図２のウィンドウの一つを探索する相関器の図である。
【符号の説明】
２０…レーク受信器
２１…信号入力
２２…制御器
２３…信号検出器
２４，２５，２６，２７…混合器
２８…符号供給器
２９…符号生成器
３０，３１，３２，３３…係数自乗演算器
【図１】
2004512727.tif 000003
【図２】
2004512727.tif 000004
【図３】
2004512727.tif 000005
【図４】
2004512727.tif 000006
【国際公開パンフレット】
2004512727.tif 000007
2004512727.tif 000008
2004512727.tif 000009
2004512727.tif 000010
2004512727.tif 000011
2004512727.tif 000012
2004512727.tif 000013
2004512727.tif 000014
2004512727.tif 000015
2004512727.tif 000016
2004512727.tif 000017
2004512727.tif 000018
2004512727.tif 000019
2004512727.tif 000020
2004512727.tif 000021
【手続補正書】
【提出日】平成14年12月19日(2002.12.19)
【手続補正１】
【補正対象書類名】明細書
【補正対象項目名】特許請求の範囲
【補正方法】変更
【補正の内容】
【特許請求の範囲】
【請求項１】
信号の符号空間を探索する方法であって、該方法は、
符号空間を、第１及び第２ウィンドウに分割する段階と、
Ｎが２以上の整数であるとき、Ｎ個の相関器を用いて第１ウィンドウ内の符号空間のみを探索し、第２相関器を用いて第２ウィンドウ内の符号空間のみを探索する段階と、
受信した多くの信号のいずれが最も平均信号強度が強いかを検出し、符号空間内の位置をウィンドウに割り当てる段階と
ウィンドウの位置が閾値を越える量によって最後に割り当てられた時に、最も強い信号がその位置から移動したのは、いつであるかを検出する段階と、
正方向の検出に応じて、最も強い信号の新しい位置に関連した符号空間内にウィンドウの位置を再割り当てする段階と
を備え、
前記各ウィンドウは、符号空間の幅よりも狭い幅を持ち、
前記第１ウィンドウは、Ｎより大きい整数であるＭ個の場所に分割され、Ｎ個の相関器は、隣接する場所に置かれ、従って、各相関器は、第１ウィンドウに沿ってＮ個の場所を移動させられ、
前記位置は、そのように検出した信号の位置に関連しており、
前記閾値は、符号の５チップ期間を越える
ことを特徴とする方法。
【請求項２】
前記ウィンドウが連続しており、重なっていないことを特徴とする請求項１記載の方法。
【請求項３】Ｎ個の相関器は、第１ウィンドウに沿って、実質的に同時に移動させられることを特徴とする請求項１あるいは２に記載の方法。
【請求項４】前記閾値は、符号の１０チップ期間と１３チップ期間の間であることを特徴とする請求項１から３のいずれか一つに記載の方法。
【請求項５】受信した信号のＳＩＲを推定し、推定したＳＩＲを基にして符号空間内の位置における相関器の静止時間を調整する段階を、さらに備えることを特徴とする請求項１から４のいずれか一つに記載の方法。
【請求項６】符号空間内の位置に関して、その位置が一つあるいは二つ以上の探索相関器によって静止しているような複数の場合において、信号強度測定値を非干渉的に蓄積する段階を、さらに備えることを特徴とする請求項１から５のいずれか一つに記載の方法。
【請求項７】非干渉的に蓄積された信号強度測定値の数を調整する段階を、さらに備えることを特徴とする請求項６記載の方法。
【請求項８】信号が受信されたチャネルの変動の測定値を推定し、推定された変動を基にして非干渉的に蓄積された信号強度測定値の数を調整する段階を、さらに備えることを特徴とする請求項７記載の方法。
【請求項９】
信号の符号空間を探索する方法であって、該方法は、
符号空間を、第１及び第２ウィンドウに分割する段階と、
Ｎが２以上の整数であるとき、Ｎ個の相関器を用いて第１ウィンドウ内の符号空間のみを探索し、第２相関器を用いて第２ウィンドウ内の符号空間のみを探索する段階と、
符号空間内の位置に関して、その位置が一つあるいは二つ以上の探索相関器によって静止しているような複数の場合において、信号強度測定値を非干渉的に蓄積する段階と
を備え、
前記各ウィンドウは、符号空間の幅よりも狭い幅を持ち、
前記第１ウィンドウは、Ｎより大きい整数であるＭ個の場所に分割され、相関器は、隣接する場所に置かれ、従って、各相関器は、第１ウィンドウに沿ってＮ個の場所を移動させられる
ことを特徴とする方法。
【請求項１０】前記ウィンドウが連続しており、重なっていないことを特徴とする請求項９記載の方法。
【請求項１１】前記Ｎ個の相関器は、第１ウィンドウに沿って、実質的に同時に移動させられることを特徴とする請求項９あるいは１０に記載の方法。
【請求項１２】受信した多くの信号のいずれが最も平均信号強度が強いかを検出し、符号空間内の位置をウィンドウに割り当てる段階を、さらに備え、前記位置は、そのように検出した信号の位置に関連していることを特徴とする請求項９から１１のいずれか一つに記載の方法。
【請求項１３】最も強い信号を追跡する段階と、ウィンドウの位置が閾値を越える量によって最後に割り当てられた時に、最も強い信号がその位置から移動したのは、いつであるかを検出する段階と、正方向の検出に応じて、最も強い信号の新しい位置に関連した符号空間内にウィンドウの位置を再割り当てする段階とをさらに備え、前記閾値は、符号の５チップ期間を越えることを特徴とする請求項１２記載の方法。
【請求項１４】前記閾値は、符号の１０チップ期間と１３チップ期間の間であることを特徴とする請求項１３記載の方法。
【請求項１５】非干渉的に蓄積された信号強度測定値の数を調整する段階を、さらに備えることを特徴とする請求項９から１４のいずれか一つに記載の方法。
【請求項１６】信号が受信されたチャネルの変動の測定値を推定し、推定された変動を基にして非干渉的に蓄積された信号強度測定値の数を調整する段階を、さらに備えることを特徴とする請求項１５記載の方法。
【請求項１７】受信した信号のＳＩＲを推定し、推定したＳＩＲを基にして符号空間内の位置における相関器の静止時間を調整する段階を、さらに備えることを特徴とする請求項９から１６のいずれか一つに記載の方法。
【国際調査報告】
2004512727.tif 000022
2004512727.tif 000023
2004512727.tif 000024